(57)【要約】【課題】  旗の降下に伴う危険を解消する旗昇降制御装置及び旗昇降装置を提供する。【解決手段】  取り付けられる旗（１）の昇降速度を制御する旗昇降制御装置（１０）であって、固定部（５）に設けられ第１滑車（２２）と、固定部に設けられた旋回軸（２３）の回りに第１位置と第２位置との間で回動する回動部材（２４）と、旗の昇降に伴って往復動するロープ（７）を第１滑車との間で挟み込み可能に、第１滑車に対向して回動部材に設けられた第２滑車（２６）と、を備え、第２滑車に当接するロープを一方の方向（Ａ）へ移動させるときに第２滑車に作用する力によって、第１滑車と第２滑車との間にあるロープが自由移動するように回動部材を第１位置に回動させ、第２滑車に当接するロープを他方の方向（Ｂ）へ移動させるときに第２滑車に作用する力によって、第１滑車と第２滑車との間にあるロープが減速移動するように回動部材を第２位置に回動させることを特徴とする。【選択図】  図２
2005070173.tif 000002
【特許請求の範囲】
【請求項１】
取り付けられる旗の昇降速度を制御する旗昇降制御装置であって、
固定部に設けられた第１滑車と、
前記固定部に設けられた旋回軸の回りに第１位置と第２位置との間で回動する回動部材と、
旗の昇降に伴って往復動するロープを前記第１滑車との間で挟み込み可能に、前記第１滑車に対向して前記回動部材に設けられた第２滑車と、
を備え、
前記第２滑車に当接するロープを一方の方向へ移動させるときに前記第２滑車に作用する力によって、前記第１滑車と前記第２滑車との間にあるロープが自由移動するように前記回動部材を前記第１位置に回動させ、
前記第２滑車に当接するロープを他方の方向へ移動させるときに前記第２滑車に作用する力によって、前記第１滑車と前記第２滑車との間にあるロープが減速移動するように前記回動部材を前記第２位置に回動させる
ことを特徴とする旗昇降制御装置。
【請求項２】
前記固定部は、ポールの上部に延設された横バーである
ことを特徴とする請求項１に記載の旗昇降制御装置。
【請求項３】
前記第１位置は、前記回動部材の端部が前記横バーの壁面に当接し前記回動部材が停止する位置である
ことを特徴とする請求項２に記載の旗昇降制御装置。
【請求項４】
前記第２位置では、前記第１滑車と前記第２滑車との間にあるロープを前記第２滑車が前記旋回軸の回りに揺動可能に押し付ける
ことを特徴とする請求項２に記載の旗昇降制御装置。
【請求項５】
前記第２滑車はロープを滑動させるための溝部を有し、前記第１滑車は前記溝部にあるロープを押し付け可能な凸部を有する
ことを特徴とする請求項１に記載の旗昇降制御装置。
【請求項６】
旗の昇降に伴って前記横バーに沿って往復動するロープを前記第２滑車へ案内する第３滑車が前記回動部材に設けられている
ことを特徴とする請求項２に記載の旗昇降制御装置。
【請求項７】
前記第１滑車、前記第２滑車及び前記第３滑車は、平行に並列するロープが往復動可能に２条に設けられている
ことを特徴とする請求項６に記載の旗昇降制御装置。
【請求項８】
旗を昇降可能な旗昇降装置であって、取り付けられる旗の昇降速度を制御する旗昇降制御装置を備え、
前記旗昇降制御装置は、
固定部に設けられ第１滑車と、
前記固定部に設けられた旋回軸の回りに第１位置と第２位置との間で回動する回動部材と、
旗の昇降に伴って往復動するロープを前記第１滑車との間で挟み込み可能に、前記第１滑車に対向して前記回動部材に設けられた第２滑車と、
を備え、
前記第２滑車に当接するロープを一方の方向へ移動させるときに前記第２滑車に作用する力によって、前記第１滑車と前記第２滑車との間にあるロープが自由移動するように前記回動部材を前記第１位置に回動させ、
前記第２滑車に当接するロープを他方の方向へ移動させるときに前記第２滑車に作用する力によって、前記第１滑車と前記第２滑車との間にあるロープが減速移動するように前記回動部材を前記第２位置に回動させる
ことを特徴とする旗昇降装置。
【発明の詳細な説明】
【技術分野】
【０００１】
本発明は、ポールに旗を昇降する際に、旗が急激に落下しないようにする旗昇降制御装置及びそれを備える旗昇降装置に関する。
【背景技術】
【０００２】
旗、特に昇り旗は、例えば幅が１２０cm、長さが１３ｍというように大きく頂部はステンレス製の旗バーで保持されている。昇り旗用のポールは例えば１５ｍという高いものである。このため、ポールの頂部にある昇り旗が急激に自由に落下すると、昇り旗及び旗バーが大きな重量を有するために昇り旗を昇降する操作者に危険である。
【特許文献１】特開２００１−７５５１７号公報
【特許文献２】特開丙９−１７９５１３号公報
【発明の開示】
【発明が解決しようとする課題】
【０００３】
しかしながら、従来は、このような旗の降下に伴う危険に対して安全上の手段が何も講じられていないのが現状であった。
【０００４】
そこで、本発明の目的は、上記の従来技術の問題点を解決し、旗の降下に伴う危険を解消する旗昇降制御装置及び旗昇降装置を提供することである。
【課題を解決するための手段】
【０００５】
上述の目的を達成するために、本発明は、取り付けられる旗の昇降速度を制御する旗昇降制御装置であって、固定部に設けられ第１滑車と、前記固定部に設けられた旋回軸の回りに第１位置と第２位置との間で回動する回動部材と、旗の昇降に伴って往復動するロープを前記第１滑車との間で挟み込み可能に、前記第１滑車に対向して前記回動部材に設けられた第２滑車と、を備え、前記第２滑車に当接するロープを一方の方向へ移動させるときに前記第２滑車に作用する力によって、前記第１滑車と前記第２滑車との間にあるロープが自由移動するように前記回動部材を前記第１位置に回動させ、前記第２滑車に当接するロープを他方の方向へ移動させるときに前記第２滑車に作用する力によって、前記第１滑車と前記第２滑車との間にあるロープが減速移動するように前記回動部材を前記第２位置に回動させることを特徴とする。
【０００６】
また、前記固定部は、ポールの上部に延設された横バーであることを特徴とする。
【０００７】
また、前記第１位置は、前記回動部材の端部が前記横バーの壁面に当接し前記回動部材が停止する位置であることを特徴とする。
【０００８】
また、前記第２位置では、前記第１滑車と前記第２滑車との間にあるロープを前記第２滑車が前記旋回軸の回りに揺動可能に押し付けることを特徴とする。
【０００９】
また、前記第２滑車はロープを滑動させるための溝部を有し、前記第１滑車は前記溝部にあるロープを押し付け可能な凸部を有することを特徴とする。
【００１０】
また、旗の昇降に伴って前記横バーに沿って往復動するロープを前記第２滑車へ案内する第３滑車が前記回動部材に設けられていることを特徴とする。
【００１１】
、あた。前記第１滑車、前記第２滑車及び前記第３滑車は、平行に並列するロープが往復動可能に２条に設けられていることを特徴とする。
【００１２】
また、旗を昇降可能な旗昇降装置であって、取り付けられる旗の昇降速度を制御する旗昇降制御装置を備え、前記旗昇降制御装置は、固定部に設けられ第１滑車と、前記固定部に設けられた旋回軸の回りに第１位置と第２位置との間で回動する回動部材と、旗の昇降に伴って往復動するロープを前記第１滑車との間で挟み込み可能に、前記第１滑車に対向して前記回動部材に設けられた第２滑車と、を備え、前記第２滑車に当接するロープを一方の方向へ移動させるときに前記第２滑車に作用する力によって、前記第１滑車と前記第２滑車との間にあるロープが自由移動するように前記回動部材を前記第１位置に回動させ、前記第２滑車に当接するロープを他方の方向へ移動させるときに前記第２滑車に作用する力によって、前記第１滑車と前記第２滑車との間にあるロープが減速移動するように前記回動部材を前記第２位置に回動させることを特徴とする。
【００１３】
上述の発明において、第２滑車に当接するロープを移動させる方向によって、旋回軸の回りに旋回させる回動部材２４の旋回方向を変え、第１滑車に対する第２滑車の近接距離を変え、第１滑車と第２滑車との間にあるロープが一方向に自由移動するか他方向に減速移動するかするようにする。
【発明の効果】
【００１４】
本発明の構成によれば、旗の降下に伴う危険を解消することができる旗昇降制御装置及び旗昇降装置を提供することができる。
【発明を実施するための最良の形態】
【００１５】
以下に、図面を参照して、本発明の実施の形態について説明する。  
図７乃至図１１に昇り旗１を昇降する旗ボール装置２を示す。昇り旗１は上部に複数のループからなる横チチ１ａと側部に縦チチ１ｂを有する。旗ポール装置２は地面等に立設されるポール４とポール４の頂部の水平方向に取り付けられる中空の横バー５と昇り旗１の横チチ１ａに挿通されるステンレス材等の金属材や樹脂材や木材等からなる旗バー６と、昇り旗１を昇降するためにロープ７と、昇り旗１の急激な落下を防止し移動速度を制御するための旗昇降制御装置としてのストッパ１０とを備えている。横バー５は昇り旗１の横幅に相当する長い部分がポール４を挟んで一方の側にあり、短い部分の側にあり、ストッパ１０は横バー５の短い部分の中空部に設けられている。
【００１６】
図７はロープ７の経路を示す図である。旗バー６の両端６ａ、６ｂに接続されたロープ７は、滑車９及びストッパ１０を通り、ループを形成している。旗バーの端部６ｂに接続されたロープ７は端部６ｂで分岐し、一方のロープ部分７ａが下方に垂れ下がっている。ストッパ１０の下方には平行ループを形成するロープ部分７ｂがある。ロープ部分７ａを下方に引くことにより、旗バー６は昇り旗１とともに降下し、ロープ部分７ｂは平行ループを形成したまま上昇する。
【００１７】
図９及び図１０は、旗バー６に昇り旗１を取り付ける手順を示す図である。図９に示すように、ロープ部分７ａを引き下ろし旗バー６を操作者の手元においた状態で、旗バー６の端部６ｂからロープ７の分岐先端にある金具１２を外す。次に、図１０に示すように旗バー６に昇り旗１の横チチ１ａを通すとともに横沢さわ１ｂにロープ部分７ａを通す。次に、ロープ部分７ｂを引っぱると、昇り旗１は上昇する。昇り旗１の上昇後、ロープ部分７ａを留め具１４に止める、ロープ部分７ｂを留め具１５に止める。
【００１８】
旗ポール装置２に掲げられた昇り旗１を降下させる場合には、図１１に示すように、ロープ部分７ｂを留め具１５から外し操作者がロープ部分７ｂを移動可能に手で保持した状態で、ロープ部分７ａを留め具１４から外し、ロープ部分７ａを引き下ろす。この場合、旗バー６及び旗バー６の重量によって昇り旗１は自由落下する傾向にある。操作者がロープ部分７ｂを移動可能に手で保持している限り自由落下は免れるが、本発明のストッパ１０によれば、操作者がロープ部分７ｂを手で保持することを止めた場合においても、自由落下することを防止することができる。
【００１９】
次に、図１乃至図６を参照して、ストッパ１０について詳細に説明する。  
図６に示すように、ストッパ１０は、固定部としての横バー５の内部の一端部側に設けられている。ストッパ１０は、横バー５に回転軸２１が固定されこの回転軸２１の回りに回動する第１滑車２２と、横バー５に設けられた旋回軸２３と、旋回軸２３の回りに後述する第１位置と第２位置との間で回動する板状の回動部材２４と、回動部材２４に回転軸２５が固定されこの回転軸２５の回りに可動する第２滑車２６とを備えている。第２滑車２６は、昇り旗１の昇降に伴って往復動するロープ７を第１滑車２２との間で挟み込み可能に、第１滑車２２の斜め下方に対向して回動部材２４に設けられている。また、回動部材２４には回転軸２７が固定して設けられ回転軸２７の回りに回動する第３滑車２８が回動部材２４に設けられている。
【００２０】
昇り旗１の昇降に伴ってロープ７は横バー５の中空部の内壁に沿って往復動するが、第３滑車２８はこのロープ７を図１等に示すように下方へ方向変換し第２滑車２６へ案内する。  第１滑車２２、第２滑車２６及び第３滑車２８は、図４（ｂ）、図５に示すように、平行に並列するロープ７が往復動可能に２条状に形成されている。第２滑車２６及び第３滑車２８の各々は、回動部材２４を挟んで２条に形成されている。また、第２滑車２６と第３滑車２８は同じ形状を有し、図４（ｂ）に示すようにロープ７が案内される溝部２６ａ、２８ａを有する。第１滑車２２は、図５に示すように、第２滑車２６及び第３滑車２８とは異なる形状を有し、第２滑車２６の溝部２６ａ、２６ａに対応する位置に一対の凸部２２ａ、２２ａを有する。溝部２６ａと凸部２２ａとの間をロープ７が通り、後述するように第２滑車２６の溝部２６ａに当接するロープ７が上方へ移動するときに図５に示すように溝部２６ａが凸部２２ａに向かって接近し溝部２６ａと凸部２２ａとの間でロープ７を挟み込みロープ７の移動速度を減速させる。
【００２１】
図１乃至図３を参照して、ストッパ１０の動作について説明する。  
図７に示すロープ部分７ｂが下方へ引かれ、第２滑車２６の溝部２６ａに当接するロープ７が下方すなわちＡ方向へ引っ張られるときに第２滑車２６は旋回軸２３の回りに反時方向のモーメントを与え、回動部材２４は反時方向に旋回し、回動部材２４の端部２４ａが横バー５の内側壁面５ａに接触し、この位置で停止する。この停止した位置を第１位置という。回動部材２４が第１位置にある場合には、溝部２６ａと凸部２２ａとの間の間隔がロープ７の直径に比べ大きくなり、ロープ７はストッパ１０に拘束されることなく自由移動する。第２滑車２６の溝部２６ａに当接するロープ７がＡ方向へ移動する場合は、図７を参照するとわかるように旗バー６あるいは昇り旗１を上昇させる場合であり、昇り旗１を上昇させるときにはスムーズにロープ７を移動させることができる。
【００２２】
また、図７に示すロープ部分７ａが下方へ引かれ、第２滑車２６の溝部２６ａに当接するロープ７が上方、すなわちＢ方向へ引っ張られるときに第２滑車２６は旋回軸２３の回りに時方向のモーメントを与え、回動部材２４は時方向に旋回し、回動部材２４の端部２４ａと横バー５の内側壁面５ａとの接触が解除される。そして、溝部２６ａと凸部２２ａとの間の間隔がロープ７の直径に比べ小さくなり、ロープ７は溝部２６ａと凸部２２ａとの間に挟み込まれ、ロープ７のＢ方向への移動速度が減速される。ロープ７の減速の程度は、溝部２６ａと凸部２２ａとの間の間隔に依存する摩擦抵抗とロープ７をＢ方向へ移動させようとする力の大きさとの関係で定まる。ロープ７をＢ方向へ移動させようとする力の大きさは、例えば操作者がロープ部分７ａから手を離した場合には、昇り旗１及び旗バー６の重量に依存する。溝部２６ａと凸部２２ａとの間の間隔は、第１滑車２２と第２滑車２６の各々の大きさと位置関係により定まる。このようにして、そこで、溝部２６ａと凸部２２ａとの間の間隔に依存する摩擦抵抗とロープ７をＢ方向へ移動させようとする力の大きさとは釣り合った状態でロープ７はＢ方向へ減速して移動する。溝部２６ａと凸部２２ａとの間の間隔に依存する摩擦抵抗とロープ７をＢ方向へ移動させようとする力の大きさとが釣り合った状態にある回動部材２４の位置を第２位置という。回動部材２４の第１位置は端部２４ａと内側壁面５ａとの接触位置として機械的に定まる。回動部材２４の第２位置では、ロープ７の太さにばらつきがある場合には、回動部材２４が旋回軸２３の回りに旋回する角度が異なるので、第２滑車２６は多少揺動しながらロープ７を第１滑車２２に対し押し付ける。
【００２３】
なお、上述の説明において、旗として昇り旗１を例として説明したが、昇り旗１に限らず、鯉のぼり等他の昇降体を対象としてもよい。
【図面の簡単な説明】
【００２４】
【図１】ロープをＡ方向に移動させ旗を上昇させるときの旗昇降制御装置（ストッパ）の動きを説明する図。
【図２】ロープをＢ方向に移動させ旗を下降させるときの旗昇降制御装置の動きを説明する図。
【図３】回動部材が旋回軸の回りに旋回することを示す図。
【図４】回動部材に設けられた第２滑車と第３滑車を示す図（ａ）と、（ａ）におけるＤ−Ｄにおける断面図（ｂ）。
【図５】第１滑車と第２滑車の位置関係を示す図。
【図６】横バーに旗昇降制御装置がもうけれていることを示す図。
【図７】ロープの経路を示す図。
【図８】旗昇降装置の概略を示す斜視図。
【図９】旗バーに昇り旗を取り付ける手順を示す図。
【図１０】旗バーに昇り旗を取り付ける手順を示す図。
【図１１】旗昇降装置に掲げられた昇り旗を降下させる手順を示す図。
【符号の説明】
【００２５】
１  昇り旗
２  旗昇降装置
４  ポール
５  横バー
５ａ  壁面
６  旗バー
７  ロープ
１０  旗昇降制御装置（ストッパ）
２２  第１滑車
２３  旋回軸
２４  回動部材
２４ａ  端部
２６  第２滑車
２８  第３滑車
【図１】
2005070173.tif 000003
【図２】
2005070173.tif 000004
【図３】
2005070173.tif 000005
【図４】
2005070173.tif 000006
【図５】
2005070173.tif 000007
【図６】
2005070173.tif 000008
【図７】
2005070173.tif 000009
【図８】
2005070173.tif 000010
【図９】
2005070173.tif 000011
【図１０】
2005070173.tif 000012
【図１１】
2005070173.tif 000013